(57)【特許請求の範囲】
【請求項１】
商品を入れた陳列補助具を吊り下げて陳列する帯状のシート部を備える陳列用吊り下げ具であって、該帯状のシート部には、長手方向に所定のピッチで多数の起立状のフック部が形成され、該フック部の直下で且つ近傍には、該シート面から上方に突出する爪部を形成し、該フック部は、該シート面から短く起立する基端部を有し、該爪部は、該シート面から僅かに突出する起立状の基端部と、該基端部の先端から下方に延びる鍔状の先端部からなる係止構造であり、該陳列補助具の吊り下げは、該フック部と該爪部に、該陳列補助具に形成される吊り下げ用の貫通孔が通され、該フック部の基端部と爪部の基端部の双方で支持することを特徴とする陳列用吊り下げ具。
【請求項２】
該爪部は、正面視が下方に凸の円弧状であることを特徴とする請求項１記載の陳列用吊り下げ具。
【請求項３】
該帯状のシート部の裏面には、長手方向に所定のピッチで長手方向に貫通する孔を有する半円筒状の突起部を形成したことを特徴とする請求項１又は２に記載の陳列用吊り下げ具。
【請求項４】
該突起部の貫通孔に、姿勢を矯正又は維持するための長尺状の棒部材を挿通したものであることを特徴とする請求項３記載の陳列用吊り下げ具。
【請求項５】
取付用の貫通孔が形成された取付ボードに、請求項３記載の陳列用吊り具を嵌合により取り付ける方法であって、取付ボードの貫通孔に半円筒状の突起部を嵌め込み、該取付ボードに陳列用吊り具を取り付けることを特徴とする陳列用吊り下げ具の陳列方法。
【請求項６】
固定側の取付部材に、請求項４記載の陳列用吊り具を吊り下げにより取り付けることを特徴とする陳列用吊り下げ具の陳列方法。
【請求項７】
吊り下げ用貫通孔を左右方向に所定の距離（Ｘ）離間して設けた商品を入れた陳列補助具を、所定の距離（Ｘ）離間して横並びで吊り下げた２本の請求項４記載の陳列用吊り下げ具に取り付け陳列する方法であって、一方の陳列用吊り下げ具のフック部と爪部に該陳列補助具の一方の吊り下げ用貫通孔を嵌め込み、他方の陳列用吊り下げ具のフック部と爪部に該陳列補助具の他方の吊り下げ用貫通孔を嵌め込み、該陳列補助具を２本の陳列用吊り下げ具に差し渡し状で吊り下げることを特徴とする陳列方法。
【請求項８】
吊り下げ用貫通孔を左右方向に所定の距離（Ｘ）離間して設けた商品を入れた陳列補助具を、所定の距離（Ｘ）離間して取付ボードに横並びで嵌め込んだ２本の請求項３記載の陳列用吊り下げ具に取り付け陳列する方法であって、一方の陳列用吊り下げ具のフック部と爪部に該陳列補助具の一方の吊り下げ用貫通孔を嵌め込み、他方の陳列用吊り下げ具のフック部と爪部に該陳列補助具の他方の吊り下げ用貫通孔を嵌め込み、該陳列補助具を２本の陳列用吊り下げ具に差し渡し状で吊り下げることを特徴とする陳列方法。
【発明の詳細な説明】
【技術分野】
【０００１】
本発明は、例えば商品を入れたポケット状あるいは箱状容器等の陳列補助具を吊り下げて使用する陳列用吊り下げ具及びその陳列方法に関するものである。
【背景技術】
【０００２】
袋の中に入れた商品を多数吊り下げて陳列する陳列用吊り下げ具は、構造も簡単で安価に製造でき、且つ陳列場所を採らないため、スーパ等の商品陳列売り場で多数使用されている。
【０００３】
特開平８−２１５００４号公報には、商品を入れた袋の端部に設けた穴を利用して前記袋を吊り下げ、前記商品を陳列する陳列用吊り具において、帯状シートに切り込みを入れて形成した第１フック部と、その両側に前記第１フック部と反対向きに形成した第２フック部とを備える複数のフック部が、前記帯状シートの長手方向に設けてある陳列用吊り具が開示されている。
【０００４】
特開平８−２１５００４号公報の陳列用吊り具は、帯状シートの長手方向に設けた各々のフック部は、押力又は曲力が加えられると、第１フック部及び第２フック部がそれぞれ曲がり、押力又は曲力を無くすと元に戻るものであり、使い勝手がよい。
【０００５】
近年、スーパ等のレジ近くは、多くの顧客の目が留まるため、ポイントの高い商品や販売促進用の試供品等を従来の陳列用吊り具に吊り下げて陳列している。
【先行技術文献】
【特許文献】
【０００６】
【特許文献１】特開平８−２１５００４号公報（特許請求の範囲）
【発明の概要】
【発明が解決しようとする課題】
【０００７】
しかしながら、人気物商品や拡販商品を陳列する際、従来のひとつの陳列用吊り具では、吊り下げる商品の数に制限があるため、多くの商品を吊り下げられることができないという問題があった。また、従来の陳列用吊り具は、塩化ビニールのような少し弾性のある合成樹脂シートで作製しているため、多くの商品を吊り下げると、鉛直状の陳列姿勢が採れず、前方に凸状の姿勢となり、見苦しいという問題があった。このため、多くの商品を吊り下げても、鉛直状の陳列姿勢が採れる陳列用吊り具が要求されていた。
【０００８】
従って、本発明の目的は、商品を入れたポケット状あるいは箱状容器等の陳列補助具を吊り下げて使用する陳列用吊り具及び陳列方法を提供することである。また、本発明の他の目的は、多くの商品を入れた陳列補助具を吊り下げても、鉛直状の陳列姿勢が採れる陳列用吊り具及び陳列方法を提供することである。
【課題を解決するための手段】
【０００９】
すなわち、本発明は、上記課題を解決するものであって、商品を入れた陳列補助具を吊り下げて陳列する帯状のシート部を備える陳列用吊り下げ具であって、該帯状のシート部には、長手方向に所定のピッチで多数の起立状のフック部が形成され、該フック部の直下で且つ近傍には、該シート面から上方に突出する爪部を形成し、該フック部は、該シート面から短く起立する基端部を有し、該爪部は、該シート面から僅かに突出する起立状の基端部と、該基端部の先端から下方に延びる鍔状の先端部からなる係止構造であり、該陳列補助具の吊り下げは、該フック部と該爪部に、該陳列補助具に形成される吊り下げ用の貫通孔が通され、該フック部の該基端部と爪部の基端部の双方で支持することを特徴とする陳列用吊り下げ具を提供するものである。
【００１０】
また、本発明は、取付用の貫通孔が形成された取付ボードに、前記陳列用吊り具を嵌合により取り付ける方法であって、取付ボードの貫通孔に半円筒状の突起部を嵌め込み、該取付ボードに陳列用吊り具を取り付けることを特徴とする陳列方法を提供するものである。
【００１１】
また、本発明は、固定側の取付部材に、前記陳列用吊り具を吊り下げにより取り付けることを特徴とする陳列方法を提供するものである。
【００１２】
また、本発明は、吊り下げ用貫通孔を左右方向に所定の距離（Ｘ）離間して設けた商品を入れた陳列補助具を、所定の距離（Ｘ）離間して横並びで吊り下げた２本の陳列用吊り下げ具（棒部材装着）に取り付け陳列する方法であって、一方の陳列用吊り下げ具のフック部と爪部に該陳列補助具の一方の吊り下げ用貫通孔を嵌め込み、他方の陳列用吊り下げ具のフック部と爪部に該陳列補助具の他方の吊り下げ用貫通孔を嵌め込み、該陳列補助具を２本の陳列用吊り下げ具に差し渡し状で吊り下げることを特徴とする陳列方法を提供するものである。
【００１３】
また、本発明は、吊り下げ用貫通孔を左右方向に所定の距離（Ｘ）離間して２つ設けた商品を入れた陳列補助具を、所定の距離（Ｘ）離間して取付ボードに横並びで嵌め込んだ２本の陳列用吊り下げ具（棒部材なし）に取り付け陳列する方法であって、一方の陳列用吊り下げ具のフック部と爪部に該陳列補助具の一方の吊り下げ用貫通孔を嵌め込み、他方の陳列用吊り下げ具のフック部と爪部に該陳列補助具の他方の吊り下げ用貫通孔を嵌め込み、該陳列補助具を２本の陳列用吊り下げ具に差し渡し状で吊り下げることを特徴とする陳列方法を提供するものである。
【発明の効果】
【００１４】
本発明によれば、商品を入れた吊り下げ用貫通孔を有する陳列補助具の該貫通孔に、フック部と爪部を嵌め込んで吊り下げるため、陳列補助具は容易には脱落しない。また、陳列補助部には多数の商品を入れることができるため、多くの商品を陳列できる陳列用吊り具を提供することができる。また、帯状シートの裏面の半円筒状の突起部に、長尺状の棒部材を挿通して背骨とすることができ、多くの商品を陳列しても、鉛直状の陳列姿勢が採れる陳列用吊り具を提供できる。
【図面の簡単な説明】
【００１５】
【図１】（Ａ）は本実施の形態における陳列用吊り具の正面図であり、（Ｂ）はその側面図である。
【図２】（Ａ）は図１の陳列用吊り具の使用状態における斜視図であり、（Ｂ）はその裏側から見た斜視図である。
【図３】図１の陳列用吊り具の一部を拡大した斜視図である。
【図４】図１の陳列用吊り具の一部を拡大した他の斜視図である。
【図５】図１の陳列用吊り具の部分拡大図である。
【図６】図５のＸ−Ｘ線に沿って見た断面図である。
【図７】図１の陳列用吊り具の裏面から見た一部を拡大した斜視図である。
【図８】図１の陳列用吊り具の取付ボード（固定側）への設置を説明する図である。
【図９】（Ａ）及び（Ｂ）は陳列用吊り具の２本並列で使用する方法を説明する図である。
【発明を実施するための形態】
【００１６】
次に、本発明の実施の形態における陳列用吊り具を図１〜図８を参照して説明する。陳列用吊り具１０は、商品を入れた陳列補助具Ａを吊り下げて陳列する帯状のシート部１０１を備えるものである。帯状のシート部１０１には、長手方向に所定のピッチで多数の起立状のフック部２が形成され、フック部２の直下で且つ近傍には、シート面１３から上方に突出する爪部３が形成される。帯状のシート部１０１は、上端で陳列用吊り具１０を吊り下げるための取付用フック５１を備える取付部１０２と連続している。陳列補助具Ａとしては、吊り下げ用の貫通丸孔ａを有するポケット状容器、箱状容器等が挙げられる。これらの陳列補助具は、比較的小さな商品を多数収納できる。
【００１７】
陳列用吊り具１０は、例えば塩化ビニールのような少し弾性のある合成樹脂シートで形成している。フック部２は、平坦なシート面１３から短く起立する基端部２１と、基端部２１の先端から斜め上方へ屈曲して延びるフック本体部２２からなる。フック本体部２２は、先細形状で且つ先端は丸み形状である。基端部２１を形成すること及びフック本体部２２を先細且つ先端丸み形状とすることで、吊り下げ商品を装着し易く且つ取り外し易いようにしている。フック本体部２２と対峙するシート面は、金型成型で生じる貫通孔２４となっている。なお、符号２３はリブであり、これにより、フック部２の強度を高めることができる。
【００１８】
爪部３は、フック部２と協働して商品を入れた陳列補助具Ａを吊り下げるものである。すなわち、フック部２と爪部３に、陳列補助具Ａに形成される吊り下げ用の貫通丸孔ａが通され、フック部２の基端部２１と爪部３の基端部３１の双方で陳列補助具Ａを支持する。爪部３は、フック部２の直下で且つ近傍に、平坦なシート面１３から上方（使用状態における前方）に突出するものである。近傍とは、フック部２の近くであることを意味し、フック部２の基端部２１から爪部３の下端までの距離は１５ｍｍ以内、好適には１０ｍｍ程度である。また、爪部３は、シート面１３から僅かに突出する起立状の基端部３１と、基端部３１の先端に形成される鍔状の先端部３２からなる係止構造である。また、爪部３の下側における基端部３１と先端部３２の外周面で形成される内角３４を直角として、陳列補助具Ａが容易には脱落しないようにしている。また、爪部３は、正面視が下方に凸の円弧状である（図５参照）。これにより、陳列補助具Ａに形成される吊り下げ用の貫通丸孔ａが嵌め易くなり、吊り下げが安定する。また、爪部３の先端部の円弧の径は、陳列補助具Ａの吊り下げ用の貫通丸孔ａの径より僅かに大としている。これにより、陳列補助具Ａが容易には脱落しなくなる。また、鍔状に形成される先端部３２の先端側の外周部３５は面取りがされている。これにより、陳列補助具Ａの嵌め込みが容易となる。爪部３の下方側のシート面は、金型成型で生じる貫通孔３３となっている。
【００１９】
フック部２の基端部２１から近傍の爪部３の下端までの距離及び爪部３の円弧状鍔部の径は、陳列補助具Ａの吊り下げ用の貫通丸孔ａの大きさにより適宜決定される。本例では、陳列補助具Ａの吊り下げ用の貫通丸孔ａは概ね１０ｍｍであるため、フック部２の基端部２１の上端から爪部３の下端までの寸法（図５中、符号ｈ）は概ね９ｍｍであり、爪部３の円弧状鍔部の径は概ね１０ｍｍである。これにより、吊り下げ商品Ａを嵌め込み易く、容易には外れず且つ取り外し易くなる。
【００２０】
従来の陳列用吊り具１０は、フック部２のみであったため、多くの商品を陳列することができなかった。例え、ポケット状容器の使用を想到したとしても、フック部２に吊り下げるだけでは、吊り下げ安定性は低いものであったが、本発明によれば、陳列補助具Ａの吊り下げ用貫通孔ａに、フック部２と爪部３を嵌め込んで吊り下げるため、吊り下げられた商品Ａが容易には脱落しない。また、従来の袋状の吊り下げ商品を陳列したい場合、フック部に吊り下げて陳列することもできる。
【００２１】
陳列用吊り具１０において、帯状のシート部１０１の裏面には、任意の構成要素である長手方向に所定のピッチで長手方向に貫通する孔４２を有する半円筒状の突起部４が形成されている（図６及び図７）。突起部４の貫通孔４２には、長尺状の棒部材７が通されて、陳列用吊り具１０の背骨を形成する。従来、陳列用吊り具１０は、重量のある多数の商品を吊り下げると、過荷重がかかり、前方に凸状となるように曲がるという問題があったが、本発明によれば、陳列用吊り具１０は鉛直姿勢を維持または鉛直姿勢に矯正できる。突起部４の形成位置及び設置数は、特に制限されず、本例では、爪部３の下方で且つフック部２の上方の位置にある。突起部４の形成位置は多過ぎると、棒部材７の挿入がし難くなり、少な過ぎると、棒部材７の支持が弱くなる。長尺状の棒部材７は、背骨として作用する程度の硬さがあるものであり、例えば、金属製丸棒が挙げられる。長尺状の棒部材７は、帯状のシート部１０１の長さと同等あるいはそれよりやや短いもの、あるいは陳列用吊り具１０の長さと同等あるいはそれよりやや短いものがよい。
【００２２】
半円筒状は、略半割状の円筒部材がシート面に接続したような形状である。また、円筒部材の貫通孔４２は、略半割状の円筒部材の側壁の足を少し長くして、丸棒部材が嵌る空間が採れるようにしている。また、突起部４の長さは概ね１０ｍｍである。突起部４の長さが長過ぎると、棒部材７の挿入抵抗が大となり、挿入し難くなり、短過ぎると、棒部材７の支持が弱くなる。
【００２３】
突起部４の円筒状の両側には、縦方向に延びる鍔部４４を有する。突起部４の円筒状の両側に鍔部４４を形成することで、陳列用吊り具１０を吊り下げによる支持ではなく、取付ボードＢへの嵌合設置が可能となる（図８参照）。この場合、取付ボードＢには、上下方向に所定のピッチで多数の嵌合用の貫通孔ｂが形成されているものを使用し、この嵌合用の貫通孔ｂに、突起部４を嵌め込み固定する。この際、棒部材７は使用しない。このような使用方法の場合、陳列用吊り具１０は、棒部材７がなくとも、取付ボードＢへの固定が強く安定しており、重量陳列に伴う腰折れは起こらない。また、一対の鍔部４４の端間の寸法Ｗ２は、取付ボードＢの嵌合用の貫通孔ｂのＷ１より少し大とする。更に、鍔部４４の後方側の角部４４１に面取りが施されている。これにより、陳列用吊り具１０は嵌め易く、外れ難くなる。突起部４に対峙するシート面及び突起部４の両側のシート面は、金型成型で生じる貫通孔４３となっている。
【００２４】
次に、本発明の陳列用吊り具を使用した商品の陳列方法を説明する。陳列用吊り具１０を使用した陳列方法としては、吊り下げにより支持された陳列用吊り具１０（棒部材なし）に商品を入れた陳列補助具を吊り下げて陳列する方法（第１の陳列方法）、吊り下げにより支持された陳列用吊り具１０（棒部材使用）に商品を入れた陳列補助具を吊り下げて陳列する方法（第２の陳列方法）、取付ボードに嵌め込みで固定された陳列用吊り具１０（棒部材なし）に商品を入れた陳列補助具を吊り下げて陳列する方法（第３の陳列方法）、吊り下げにより支持された２本の陳列用吊り具１０（棒部材使用）に商品を入れた陳列補助具を差し渡しにより吊り下げて陳列する方法（第４の陳列方法）、取付ボードに嵌め込みで固定された２本の陳列用吊り具１０（棒部材なし）に商品を入れた陳列補助具を差し渡しにより吊り下げて陳列する方法（第５の陳列方法）が挙げられる。
【００２５】
第１の陳列方法において、陳列用吊り具１０の突起部４はあってもなくてもよい。陳列用吊り具１０の吊り下げは、図９に示すように、桟部材等の固定側の取付部材９に、陳列用吊り具１０の取付部５の取付用フック５１を引掛けて吊り下げればよい。次いで、陳列用吊り具１０のフック部２に、陳列補助具Ａの上部に形成された吊り下げ用貫通孔ａを通し、次いで、陳列用吊り具１０の爪部３に陳列補助具Ａの吊り下げ用貫通孔ａを通し、フック部２の基端部２１と爪部３の基端部３１の双方で吊り下げ商品を支持する。これにより、陳列補助具の吊り下げが安定する。なお、図９は陳列用吊り具１０の２本並列使用に関するものであるが、第１の陳列方法は、陳列用吊り具１０の１本の使用に関するものである。
【００２６】
第２の陳列方法において、陳列用吊り具１０の突起部４は必須である。陳列用吊り具１０の吊り下げは、第１の陳列方法と同様に、桟部材等の固定側の取付部材９に、陳列用吊り具１０の取付部５の取付用フック５１を引掛けて吊り下げればよい。陳列用吊り具１０には、予め突起部４に金属丸棒等の棒部材７を装着しておく。次いで、陳列用吊り具１０のフック部２に、陳列補助具Ａの上部に形成された吊り下げ用貫通孔ａを通し、次いで、陳列用吊り具１０の爪部３に陳列補助具Ａの吊り下げ用貫通孔ａを通し、フック部２の基端部２１と爪部３の基端部３１の双方で吊り下げ商品を支持する。これにより、重量のある陳列補助具Ａの吊り下げが安定する。陳列補助具Ａとしては、前記の通り、ポケット状容器や箱状容器等であり、例えば、図９に示すような、蓋無しの箱本体部８１と、箱本体部８１の上部に位置する吊り下げ用貫通孔ａを備える取付部８２とを有するものが挙げられる。箱本体部８１には商品をそのまま入れて陳列することができ、且つ重量のある商品Ｄを入れることができる。
【００２７】
第３の陳列方法は、図８に示すように、取付用の貫通孔ｂが形成された取付ボードＢに、棒部材７を使用しない陳列用吊り具１０を嵌合により取り付ける方法であって、取付ボードＢの貫通孔ｂに半円筒状の突起部４を嵌め込み、取付ボードＢに陳列用吊り具１０を取り付ける方法である。従って、取付ボードＢには、陳列用吊り具１０の半円筒状の突起部４に対向する位置に、貫通孔ｂが形成されたものを使用する。陳列補助具をフック部２と爪部３に嵌め込む方法は第１の陳列方法と同様である。第３の陳列方法によれば、陳列用吊り具１０が取付ボードＢに嵌め込まれて固定されているため、重量が嵩む商品入り陳列補助具の吊り下げであっても、重量陳列に伴う腰折れは起こらない。
【００２８】
第４の陳列方法は、図９に示すように、吊り下げ用貫通孔ｃを左右方向に所定の距離（Ｘ）離間して設けた陳列補助具Ｃを、所定の距離（Ｘ）離間して桟部材等の固定側の取付部材９に横並びで吊り下げた２本の陳列用吊り下げ具（棒部材使用）に取り付け陳列する方法であって、一方の陳列用吊り下げ具１０ａのフック部２ａと爪部３ａに陳列補助具Ｃの一方の吊り下げ用貫通孔ｃを嵌め込み、他方の陳列用吊り下げ具１０ｂのフック部２ｂと爪部３ｂに陳列補助具Ｃの他方の吊り下げ用貫通孔ｃを嵌め込み、陳列補助具Ｃを２本の陳列用吊り下げ具１０ａ、１０ｂに差し渡し状で吊り下げる方法である。２本の陳列用吊り下げ具の離間距離（Ｘ）は、陳列用吊り下げ具の中心からの距離である。２本の陳列用吊り下げ具１０ａ、１０ｂは、それぞれ裏面の突起部４を必須の構成要素とするものであり、該突起部４の貫通孔４２には棒部材７が挿通されている。陳列補助具をフック部２と爪部３に嵌め込む方法は第１の陳列方法と同様である。第４の陳列方法によれば、陳列用吊り具１０ａ、１０ｂの裏面には、背骨としての棒部材７が付設されているため、重量が嵩む商品入り陳列補助具の吊り下げであっても、重量陳列に伴う腰折れは起こらない。また、陳列補助具は大容量のものが使用でき、多数の商品を陳列することができる。
【００２９】
第５の陳列方法は、吊り下げ用貫通孔ｃを左右方向に所定の距離（Ｘ）離間して設けた商品入り陳列補助具Ｃを、所定の距離（Ｘ）離間して取付ボードＢに横並びで嵌め込んだ２本の陳列用吊り下げ具（棒部材７なし）に取り付け陳列する方法であって、一方の陳列用吊り下げ具のフック部と爪部に陳列補助具の一方の吊り下げ用貫通孔を嵌め込み、他方の陳列用吊り下げ具のフック部と爪部に陳列補助具の他方の吊り下げ用貫通孔を嵌め込み、陳列補助具を２本の陳列用吊り下げ具に差し渡し状で吊り下げる方法である。すなわち、第５の陳列方法において、第４の陳列方法と異なる点は、固体側を取付ボードＢとした点、取付ボードＢへの陳列用吊り下げ具の固定方法は、取付ボードＢの貫通孔ｂに半円筒状の突起部４を嵌め込み固定した点、陳列用吊り具１０ａ、１０ｂの裏面に、棒部材７の設置を省略した点にある。２本の陳列用吊り下げ具の離間距離（Ｘ）は、陳列用吊り下げ具の中心からの距離である。陳列補助具をフック部２と爪部３に嵌め込む方法は第１の陳列方法と同様である。第５の陳列方法によれば、陳列用吊り具が取付ボードＢに嵌め込まれて固定されているため、重量が嵩む商品の陳列であっても、重量陳列に伴う腰折れは起こらない。また、陳列補助具は大容量のものが使用でき、多数の商品を陳列することができる。
【００３０】
本発明の陳列用吊り下げ具において、取付部１０２は上記形態のものに限定されず、帯状シート部１０１の連続したものでもよい。この場合、取付用フックに代えて、取付用貫通孔であってもよい。
【符号の説明】
【００３１】
２    フック部
３    爪部
４    半円筒状の突起部
７    棒部材
９    固定側の取付部材
１０１    帯状シート部
１０２    取付部
Ａ    陳列補助具
Ｂ    取付ボード
Ｃ    陳列補助具
Ｄ    商品
【図１】
0005653706.tif 000002
【図２】
0005653706.tif 000003
【図３】
0005653706.tif 000004
【図４】
0005653706.tif 000005
【図５】
0005653706.tif 000006
【図６】
0005653706.tif 000007
【図７】
0005653706.tif 000008
【図８】
0005653706.tif 000009
【図９】
0005653706.tif 000010